(57)【要約】【課題】内槽内に温風を送風して洗濯物を乾燥させる行程を有し、洗濯から乾燥までを一貫して実施できる洗濯乾燥機において、循環風量を低下させることなく、温風を効率よく冷却し、乾燥効率を向上する。【解決手段】筐体１内部に弾性的に吊支した外槽２内に、回転中心軸を略鉛直方向に有し衣類を収容する内槽４を回転自在に支持し、内槽４の内底部に回転翼５を回転自在に設け、内槽４または回転翼５をモータ９により駆動し、ヒータ１３により加熱した温風を循環用送風機１２により内槽４内に送風し、内槽４内にて衣類より水分を奪った温風を冷却水給水口２８より給水した冷却水により冷却する。冷却水給水口２８より給水した冷却水は外槽１の内壁面に沿うように給水するよう構成する。【選択図】　図１
2004121587.tif 000002
【特許請求の範囲】
【請求項１】
筐体の内部に弾性的に吊支した外槽と、回転中心軸を略鉛直方向に有し前記外槽内に回転自在に支持し衣類を収容する内槽と、前記内槽の内底部に回転自在に設けた回転翼と、前記内槽または回転翼を駆動する駆動手段と、前記内槽内に温風を送風する温風送風手段と、前記温風送風手段により送風される空気を加熱する加熱手段と、前記内槽内に送風し衣類より水分を奪った温風を冷却する冷却手段とを備え、前記冷却手段は、前記外槽の内壁面に沿うように給水するよう構成した洗濯乾燥機。
【請求項２】
冷却手段は、水圧がかかった状態で、周方向もしくは斜め方向に給水するよう構成した請求項１記載の洗濯乾燥機。
【請求項３】
冷却手段は、上下方向に拡散するように給水するよう構成した請求項１または２記載の洗濯乾燥機。
【請求項４】
冷却手段は、水を拡散させるノズルを備えた請求項３記載の洗濯乾燥機。
【請求項５】
外槽は、内壁面に冷却手段からの給水を略周方向に移動させる螺旋状の案内部を設けた請求項１〜４のいずれか１項に記載の洗濯乾燥機。
【請求項６】
外槽は、内壁面に水膜を形成する凹凸部を設けた請求項１〜５のいずれか１項に記載の洗濯乾燥機。
【請求項７】
外槽は、内壁面に親水処理を施した請求項１〜６のいずれか１項に記載の洗濯乾燥機。
【請求項８】
冷却手段からの給水時に、内槽を回転させる構成とした請求項１〜７のいずれか１項に記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図１０に示すように構成していた。以下、その構成について説明する。
【０００３】
図１０に示すように、筐体１は、内部に外槽２をサスペンション３により懸垂防振支持し、運転時の振動をサスペンション３によって吸収する構成としている。外槽２の内部には、回転中心軸を鉛直方向に有し洗濯物および乾燥対象物を収容する内槽４を回転自在に配設し、内槽４の内底部に衣類（洗濯物および乾燥対象物）を撹拌する回転翼５を回転自在に配設している。
【０００４】
内槽４の内部周壁には多数の小孔（図示せず）を設け、その上方には流体バランサー６を設けている。そして、外槽２および内槽４の底部中心付近に、中空で二軸構造をしている洗濯・脱水軸７と、洗濯または脱水時により回転力の伝達を洗濯・脱水軸７に切り換えるクラッチ８を設けている。モータ９は、外槽２に設け、クラッチ８を介して、内槽４または回転翼５を駆動するようにしている。
【０００５】
熱交換器１０は、循環する湿った温風を除湿するもので、一端を伸縮自在の下部蛇腹状ホース１１を介して外槽２の下部に接続し、他端を循環用送風機１２の一端に接続している。循環用送風機１２の他端は、加熱手段であるヒータ１３を有する温風供給路１４に接続し、温風送風手段を構成し、上部蛇腹状ホース１５を通って内槽４へ繋がり、循環する温風循環経路１６を構成している。
【０００６】
外槽２には、外槽２の上面を気密的に覆う外槽カバー１７を設けており、この外槽カバー１７に伸縮自在の上部蛇腹状ホース１５から温風を供給する温風供給口１８を開口している。また、この外槽カバー１７に内蓋１９を開閉自在に設け、衣類を出し入れするようにしている。
【０００７】
筐体カバー２０は筐体１の上部を覆うもので、外蓋２１を開閉自在に有し、操作表示兼入力手段２２を設けるとともに、内槽４に給水する給水弁２３を設けている。また、外槽２の底部に外槽２内に水を排水する排水弁２４を設けている。冷却用送風機２５は、筐体１の側面に取り付け、筐体１の内部に外気を導入して、筐体１の内部の外槽２、熱交換器１０などを冷却するように構成している。
【０００８】
制御装置２６は、マイクロコンピュータを具備し、モータ９、クラッチ８、循環用送風機１２、ヒータ１３、給水弁２３、排水弁２４、冷却用送風機２５などの動作を制御し、洗い、すすぎ、脱水、乾燥の一連の行程を逐次制御するように構成している。
【０００９】
上記構成において動作を説明する。洗い行程では、外蓋２１と内蓋１９を開けて、内槽４に衣類（洗濯物）を投入し運転を開始すると、給水弁２３を開いて所定の水位まで給水した後、モータ９を駆動する。このとき、伝達機構部のクラッチ８によりモータ９の動力を洗濯軸を介して回転翼５に伝達し、回転翼５を回転させて衣類を水中で撹拌して洗濯し、その後、排水弁２４を開いて排水し、すすぎ行程で再度給水し洗い行程と同様にして衣類をすすぐ。
【００１０】
脱水行程では、すすぎ終了後、排水弁２４を開いて内槽４内の水を排水した後、伝達機構部のクラッチ８を脱水側に切り換えて、モータ９の動力を脱水軸を介して内槽４に伝達して回転させ、衣類に遠心力を与えることにより、水分を衣類から分離することで行う。脱水行程が終了すると引きつづいて乾燥行程に入る。
【００１１】
乾燥行程に入ると、モータ９を駆動して回転翼５に伝達し、回転翼５をゆっくり回転させることにより、脱水時の遠心力により内槽４の内壁に張り付いた衣類を引き剥がした後、衣類の重さ判定値に応じて所定の時間だけ内槽４を回転させながら衣類を乾燥する槽回転乾燥行程を行った後、回転翼５を瞬間的に正逆の方向に強力に回転させて、衣類を内槽４内で上方に放り上げるようにして撹拌しながら乾燥する撹拌乾燥行程を行う。
【００１２】
同時に、循環用送風機１２により、ヒータ１３を通って加熱した温風を温風供給口１８より内槽４内部に送り込む。この温風は、内槽４内にて衣類の水分を取り、内槽４の内部周壁にある多数の小孔や、流体バランサー６と外槽カバー１７の隙間を通って、外槽２の内壁を通過する際、および下部蛇腹状ホース１１を経由して熱交換器１０を通過する際に、冷却手段である冷却用送風機２５の送風により冷却、除湿され、その後、再び循環用送風機１２に戻る。このとき、除湿された水分は排水弁２４を定期的に開いて機外に排水される。これにより乾燥が進行する（例えば、特許文献１）。
【００１３】
【特許文献１】
特開２００１−３４０６８２号公報
【００１４】
【発明が解決しようとする課題】
このような従来の構成では、冷却用送風機２５による送風で外槽２を冷却し、除湿を行っているが、大型で略円筒状の外槽２全体を効率よく冷却するためには、大風量かつ複数の冷却用送風機２５を用いる必要があり、スペース、コストの面で問題があり、現実的には効率よく冷却できないという問題を有していた。
【００１５】
また、熱交換器１０に冷却水を滴下、飛散させて冷却を行う事例もあるが、冷却水が温風循環経路１６の圧力損失になり、循環風量が低下し、乾燥効率が低下するという問題を有していた。
【００１６】
本発明は上記従来の課題を解決するもので、循環風量を低下させることなく、温風を効率よく冷却し、乾燥効率を向上することを目的としている。
【００１７】
【課題を解決するための手段】
本発明は上記目的を達成するために、筐体内部に弾性的に吊支した外槽内に、回転中心軸を略鉛直方向に有し衣類を収容する内槽を回転自在に支持し、内槽の内底部に回転翼を回転自在に設け、内槽または回転翼を駆動手段により駆動し、加熱手段により加熱した温風を温風送風手段により内槽内に送風し、内槽内にて衣類より水分を奪った温風を冷却手段により冷却するよう構成し、冷却手段は外槽の内壁面に沿うように給水するよう構成したものである。
【００１８】
これにより、循環風量を低下させることなく、外槽内の温風を効率よく冷却することができ、乾燥効率を向上することができる。
【００１９】
【発明の実施の形態】
本発明の請求項１に記載の発明は、筐体の内部に弾性的に吊支した外槽と、回転中心軸を略鉛直方向に有し前記外槽内に回転自在に支持し衣類を収容する内槽と、前記内槽の内底部に回転自在に設けた回転翼と、前記内槽または回転翼を駆動する駆動手段と、前記内槽内に温風を送風する温風送風手段と、前記温風送風手段により送風される空気を加熱する加熱手段と、前記内槽内に送風し衣類より水分を奪った温風を冷却する冷却手段とを備え、前記冷却手段は、前記外槽の内壁面に沿うように給水するよう構成したものであり、外槽の内壁面の冷却と、冷却水による湿った温風の直接冷却により、効率よく外槽内の湿った温風を冷却・除湿することができ、乾燥効率を向上することができる。また、冷却水を循環風に逆らって流さないため、循環経路の圧力損失にもならない。
【００２０】
請求項２に記載の発明は、上記請求項１に記載の発明において、冷却手段は、水圧がかかった状態で、周方向もしくは斜め方向に給水するよう構成したものであり、外槽をむらなく、効率よく冷却することができ、乾燥効率を向上することができる。
【００２１】
請求項３に記載の発明は、上記請求項１または２に記載の発明において、冷却手段は、上下方向に拡散するように給水するよう構成したものであり、少ない使用水量で、外槽全体をむらなく、効率よく冷却でき、乾燥効率を向上することができる。
【００２２】
請求項４に記載の発明は、上記請求項３に記載の発明において、冷却手段は、水を拡散させるノズルを備えたものであり、任意の噴射状態と噴射位置に設定することで、少ない使用水量で、外槽全体をむらなく、効率よく冷却でき、乾燥効率を向上することができる。
【００２３】
請求項５に記載の発明は、上記請求項１〜４に記載の発明において、外槽は、内壁面に冷却手段からの給水を略周方向に移動させる螺旋状の案内部を設けたものであり、冷却水を螺旋状の案内部に沿って流すことができ、少ない使用水量で、外槽全体をむらなく、効率よく冷却でき、乾燥効率を向上することができる。
【００２４】
請求項６に記載の発明は、上記請求項１〜５に記載の発明において、外槽は、内壁面に水膜を形成する凹凸部を設けたものであり、水が十分に冷却を行う前に、水滴の状態のまま外槽の内壁面を急降下することを防いで、拡散しながら降下させることができ、少ない使用水量で、外槽全体をむらなく、効率よく冷却でき、乾燥効率を向上することができる。
【００２５】
請求項７に記載の発明は、上記請求項１〜６に記載の発明において、外槽は、内壁面に親水処理を施したものであり、水が十分に冷却を行う前に、水滴の状態のまま外槽内壁面を急降下することを防いで、拡散しながら降下させることができ、少ない使用水量で、外槽全体をむらなく、効率よく冷却でき、乾燥効率を向上することができる。
【００２６】
請求項８に記載の発明は、上記請求項１〜７に記載の発明において、冷却手段からの給水時に、内槽を回転させる構成としたものであり、内槽の回転で起こる風により冷却水が略周方向に拡散しながら流れ落ちるため、外槽全体をむらなく、効率よく冷却でき、乾燥効率を向上することができる。
【００２７】
【実施例】
以下、本発明の実施例について、図面を参照しながら説明する。なお、従来例と同じ構成のものは同一符号を付して説明を省略する。
【００２８】
（実施例１）
図１および図２に示すように、供給通路２７は、複数の冷却水給水口２８を有し、冷却水給水口（冷却手段）２８より外槽２の内壁面に沿うように冷却水を供給するもので、外槽２の上面を気密的に覆う外槽カバー１７の下方に設けている。また、給水弁２３から外槽カバー１７をつなぐ連結ホース２９を設け、供給通路２７に連通している。他の構成は上記従来例と同様である。
【００２９】
上記構成において動作を説明する。外蓋２１と内蓋１９を開けて、内槽４に衣類（洗濯物）を投入し運転を開始すると、制御装置２６の制御により、洗い行程では、給水弁２３を開いて所定の水位まで給水した後、モータ（駆動手段）９を駆動する。このとき、伝達機構部のクラッチ８によりモータ９の動力を洗濯軸を介して回転翼５に伝達し、回転翼５を回転させて衣類を水中で撹拌して洗濯し、その後、排水弁２４を開いて排水し、すすぎ行程で再度給水し洗い行程と同様にして衣類をすすぐ。
【００３０】
脱水行程では、すすぎ終了後、排水弁２４を開いて内槽４内の水を排水した後、伝達機構部のクラッチ８を脱水側に切り換えて、モータ９の動力を脱水軸を介して内槽４に伝達して回転させ、衣類に遠心力を与えることにより、水分を衣類から分離することで行う。脱水行程が終了すると引きつづいて乾燥行程に入る。
【００３１】
乾燥行程に入ると、モータ９を駆動して回転翼５に伝達し、回転翼５をゆっくり回転させることにより、脱水時の遠心力により内槽４の内壁に張り付いた衣類を引き剥がした後、衣類の重さ判定値に応じて所定の時間だけ内槽４を回転させながら衣類を乾燥する槽回転乾燥行程を行った後、回転翼５を瞬間的に正逆の方向に強力に回転させて、衣類を内槽４内で上方に放り上げるようにして撹拌しながら乾燥する撹拌乾燥行程を行う。
【００３２】
同時に、循環用送風機（温風送風手段）１２により、ヒータ（加熱手段）１３を通って加熱した温風を温風供給口１８より内槽４内部に送り込む。この温風は、内槽４内にて衣類の水分を奪った後、内槽４の内部周壁に設けた多数の小孔（図示せず）や、流体バランサー６と外槽カバー１７の隙間を通過して外槽２の内部へと流れ込む。このとき、外槽２の内壁面には、冷却水給水口２８から給水された冷却水が流れており、外槽２の内壁と、さらに湿った温風を直接冷却し、除湿する。
【００３３】
また、この温風は、下部蛇腹状ホース１１を経由して熱交換器１０を通過する際に、冷却用送風機２５の送風により再度、冷却、除湿され、その後、再び循環用送風機１２に戻る。このとき、給水された冷却水および除湿された水分は排水弁２４を定期的に開いて機外に排水される。これにより乾燥が進行する。
【００３４】
このように本実施例によれば、乾燥行程において、循環風の流れに沿って冷却水を流すため、循環風経路１６の抵抗（圧力損失）になることなく、衣類から水分を奪った後の湿った温風を外槽２の内壁面全体を用いて、効率よく冷却することにより乾燥効率を向上することができる。
【００３５】
また、乾燥効率が向上することにより、熱交換器１０および冷却用送風機２５を小型化あるいはなくすことが可能となり、経済的である。
【００３６】
また、冷却能力が向上することで、ヒータ１３の能力を下げることなく、温風供給口１８からの温風温度を低くすることができ、内槽４内の温度が上がりすぎることによる衣類および内槽４や流体バランサー６への温度負荷を軽減することができる。
【００３７】
（実施例２）
図３に示すように、外槽カバー１７の下方に設けた供給通路２７に設けた冷却水給水口２８と、給水弁２３との間は、大気開放部がなく連結ホース２９により連結され、水圧がかかった状態で、外槽２の内壁面に沿うように周方向もしくは斜め方向に給水するよう構成している。他の構成は上記実施例１と同じである。
【００３８】
上記構成において動作を説明する。なお、洗い行程から脱水行程までの動作と、乾燥行程の基本的な動作は、上記実施例１の動作と同じであるので説明を省略する。
【００３９】
乾燥行程にて、内槽４内にて衣類の水分を奪った湿った温風は、内槽４の内部周壁に設けた多数の小孔（図示せず）や、流体バランサー６と外槽カバー１７の隙間を通過して外槽２の内部へと流れ込む。このとき、外槽２の内壁には、冷却水給水口２８から、水圧がかかった状態で周方向もしくは斜め方向に、外槽２の内壁面を沿いながら冷却水が給水されており、比較的少ない数（例えば、３〜５箇所）の冷却水給水口２８で、広範囲にわたり、外槽２の内壁面全体をむらなく、効果的に冷却することができる。
【００４０】
このように本実施例によれば、衣類から水分を奪った後の湿った温風を、外槽２の内壁面全体を用いて、効率よく冷却することにより乾燥効率を向上することができる。
【００４１】
また、冷却水給水口２８の数を少なくすれば、構成が簡素になり、経済的なだけでなく、冷却水の出口面積を大きくでき、目詰まりなどのトラブルも発生しにくくなる。
【００４２】
なお、発明者らは、水圧がかかった状態で外槽２の内壁面を沿わさずに冷却水の給水を行うと、外槽２の内壁面を冷却できないために冷却効率が落ちるだけでなく、内槽４の外部周壁面に冷却水が飛散し、付着してしまうことにより、内槽４（乾燥室）内の温度低下を招き、著しく乾燥効率が下がることを確認している。
【００４３】
（実施例３）
図４に示すように、冷却水給水口（冷却手段）２８は、外槽カバー１７の下方に設けた供給通路２７に設け、外槽２の内壁面に沿うように冷却水を供給するもので、上下方向に拡散するように冷却水を給水する構成としている。他の構成は上記実施例１と同じである。
【００４４】
上記構成において動作を説明する。なお、洗い行程から脱水行程までの動作と、乾燥行程の基本的な動作は、上記実施例１の動作と同じであるので説明を省略する。
【００４５】
乾燥行程にて、内槽４内にて衣類の水分を奪った湿った温風は、外槽２の内部へと流れ込む。このとき、外槽２の内壁には、冷却水給水口２８から、上下方向に拡散しながら、外槽２の内壁面を沿うように冷却水が給水されており、比較的少ない数（例えば、３〜５箇所）の冷却水給水口２８で、広範囲にわたり、外槽２の内壁全体をむらなく、効果的に冷却することができる。
【００４６】
このように本実施例によれば、衣類から水分を奪った後の湿った温風を外槽２の内壁面全体を用いて、効率よく冷却することができ、乾燥効率を向上することができる。
【００４７】
（実施例４）
図５に示すように、冷却水給水口（冷却手段）２８は、外槽カバー１７の下方に設けた供給通路２７に設け、外槽２の内壁面に沿うように冷却水を供給するもので、冷却水給水口２８に水を拡散して給水する拡散ノズル３０を備えている。他の構成は上記実施例１と同じである。
【００４８】
上記構成において動作を説明する。なお、洗い行程から脱水行程までの動作と、乾燥行程の基本的な動作は、上記実施例１の動作と同じであるので説明を省略する。
【００４９】
乾燥行程にて、内槽４内にて衣類の水分を奪った湿った温風は、外槽２の内部へと流れ込む。このとき、外槽２の内壁には、冷却水給水口２８に設けた広角に広がる出口形状をもつ拡散ノズル３０から、任意の方向に所定の幅をもって拡散しながら冷却水を給水しており、例えば、下部蛇腹状ホース１１を介して熱交換器１０へつながる温風の流出側に集中的に給水・拡散したり、外槽２の内壁の形状に合わせて給水・拡散することで、冷却効率を向上することができる。
【００５０】
このように本実施例によれば、衣類から水分を奪った後の湿った温風を、拡散ノズル３０により、容易に任意の方向へ給水・拡散でき、外槽２の内壁面の冷却効果の高い部分を狙って冷却水を給水することで、効率よく冷却でき、乾燥効率を向上することができる。
【００５１】
（実施例５）
図６に示すように、外槽２ａは、内壁面に冷却水給水口（冷却手段）２８からの給水を略周方向に移動させる、例えば、略逆三角形の断面形状をもつ、螺旋状の案内部３１を設けている。他の構成は上記実施例１と同じである。
【００５２】
上記構成において動作を説明する。なお、洗い行程から脱水行程までの動作と、乾燥行程の基本的な動作は、上記実施例１の動作と同じであるので説明を省略する。
【００５３】
乾燥行程にて、内槽４内にて衣類の水分を奪った湿った温風は、外槽２ａの内部へと流れ込む。このとき、外槽２ａの内壁には、冷却水給水口２８から給水された冷却水が略周方向に移動させる螺旋状の案内部３１に沿って流れており、少ない数（例えば１〜２箇所）の冷却水給水口２８で、かつ、少ない給水量（例えば、２００ｃｃ／ｍｉｎ）で、外槽２ａの内壁面全体をむらなく、効果的に冷却することができる。
【００５４】
このように本実施例によれば、衣類から水分を奪った後の湿った温風を、外槽２ａの内壁面全体を用いて、効率よく冷却することができ、乾燥効率を向上することができる。
【００５５】
（実施例６）
図７に示すように、外槽２ｂは、内壁面に水膜を形成するための凹凸部３２を設けている。他の構成は上記実施例１と同じである。
【００５６】
上記構成において動作を説明する。なお、洗い行程から脱水行程までの動作と、乾燥行程の基本的な動作は、上記実施例１の動作と同じであるので説明を省略する。
【００５７】
乾燥行程にて、内槽４内にて衣類の水分を奪った湿った温風は、外槽２ｂの内部へと流れ込む。このとき、外槽２ｂの内壁には、冷却水給水口２８から外槽２ｂの内壁面を沿うように冷却水が給水されており、外槽２ｂの内壁面に水膜を形成するための凹凸部３２（例えば、シボ加工）を設けているため、冷却水が凹凸部３２に沿って拡散しながら水膜を形成するように滴下し、少ない使用水量で、外槽２ｂの内壁全体をむらなく、効果的に冷却することができる。
【００５８】
このように本実施例によれば、衣類から水分を奪った後の湿った温風を、外槽２ｂの内壁面全体を用いて、効率よく冷却することができ、乾燥効率を向上することができる。
【００５９】
（実施例７）
図８に示すように、外槽２ｃは、内壁面に親水処理を施している。他の構成は上記実施例１と同じである。
【００６０】
上記構成において動作を説明する。なお、洗い行程から脱水行程までの動作と、乾燥行程の基本的な動作は、上記実施例１の動作と同じであるので説明を省略する。
【００６１】
乾燥行程にて、内槽４内にて衣類の水分を奪った湿った温風は、外槽２ｃの内部へと流れ込む。このとき、外槽２ｃの内壁には、冷却水給水口２８から、外槽２ｃの内壁面を沿うように冷却水が給水されており、外槽２ｃの内壁面に親水処理を施しているため、冷却水が水膜を形成するように拡散しながら滴下し、少ない使用水量で、外槽２ｃの内壁面全体をむらなく、効果的に冷却することができる。
【００６２】
このように本実施例によれば、衣類から水分を奪った後の湿った温風を、外槽２ｃの内壁面全体を用いて、効率よく冷却することにより乾燥効率を向上することができる。
【００６３】
（実施例８）
図９に示すように、冷却水給水口（冷却手段）からの冷却水の給水時に、内槽４を回転させる構成としている。他の構成は上記実施例１と同じである。
【００６４】
上記構成において動作を説明する。なお、洗い行程から脱水行程までの動作と、乾燥行程の基本的な動作は、上記実施例１の動作と同じであるので説明を省略する。
【００６５】
乾燥行程にて、内槽４内にて衣類の水分を奪った湿った温風は、外槽２の内部へと流れ込む。このとき、外槽２の内壁には、冷却水給水口から外槽２の内壁面を沿いながら冷却水が給水されており、このとき、同時に、内槽４を回転（例えば、２００〜５００ｒ／ｍｉｎ）させることで、内槽４の回転で起こる風により冷却水が略周方向に拡散しながら流れ落ちるため、少ない冷却水給水口数（例えば、１〜２箇所）で、かつ、少ない給水量（例えば、２００ｃｃ／ｍｉｎ）で、広範囲にわたり外槽２の内壁全体をむらなく、効果的に冷却することができる。
【００６６】
このように本実施例によれば、衣類から水分を奪った後の湿った温風を、外槽２の内壁面全体を用いて、効率よく冷却することができ、乾燥効率を向上することができる。
【００６７】
【発明の効果】
以上のように、本発明の請求項１に記載の発明によれば、内槽内に送風し衣類より水分を奪った温風を冷却手段により冷却するよう構成し、冷却手段は外槽の内壁面に沿うように給水するよう構成したことにより、外槽内壁面の冷却と、冷却水による湿った温風の直接冷却により、循環風量を低下させることなく、効率よく外槽内の湿った温風を冷却することができ、乾燥効率を向上することができる。また、冷却水を循環風に逆らって流さないため、循環経路の圧力損失にもならない。
【図面の簡単な説明】
【図１】本発明の第１の実施例の洗濯乾燥機の断面図
【図２】同洗濯乾燥機の一部切欠した要部拡大断面図
【図３】本発明の第２の実施例の洗濯乾燥機の一部切欠した要部斜視図
【図４】本発明の第３の実施例の洗濯乾燥機の一部切欠した要部斜視図
【図５】本発明の第４の実施例の洗濯乾燥機の一部切欠した要部断面図
【図６】本発明の第５の実施例の洗濯乾燥機の一部切欠した要部斜視図
【図７】本発明の第６の実施例の洗濯乾燥機の一部切欠した要部斜視図
【図８】本発明の第７の実施例の洗濯乾燥機の一部切欠した要部斜視図
【図９】本発明の第８の実施例の洗濯乾燥機の一部切欠した要部斜視図
【図１０】従来の洗濯乾燥機の断面図
【符号の説明】
１　筐体
２　外槽
４　内槽
５　回転翼
９　モータ（駆動手段）
１２　循環用送風機（温風送風手段）
１３　ヒータ（加熱手段）
２８　冷却水給水口（冷却手段）
【図１】
2004121587.tif 000003
【図２】
2004121587.tif 000004
【図３】
2004121587.tif 000005
【図４】
2004121587.tif 000006
【図５】
2004121587.tif 000007
【図６】
2004121587.tif 000008
【図７】
2004121587.tif 000009
【図８】
2004121587.tif 000010
【図９】
2004121587.tif 000011
【図１０】
2004121587.tif 000012